(57)【特許請求の範囲】
【請求項１】
幅の異なる複数の通帳等冊子類を搬送し印字する機能を備えた印字装置において、
一軸に複数個の第１のローラを配置しモータにて回転駆動する第１の搬送ローラ軸と、
前記複数個の第１のローラに対向した複数個の第２のローラを配置した第２の搬送ローラ軸と、
前記第２の搬送ローラ軸は略中央位置にて継手にて二分割され、該二分割された各々の第２の搬送ローラ軸は独立して前記第１の搬送ローラ軸に圧着される付勢手段を備え、
前記各々の第２の搬送ローラ軸には複数個のローラを配置し、
前記第１の搬送ローラ軸には第１のギヤを備え、
前記第２の搬送ローラ軸には第２のギヤを備え、
前記第１および第２のギヤによって、前記第１の搬送ローラ軸の回転駆動力を前記第２の搬送ローラ軸に伝達させるものであって、
搬送方向に対し平行な方向に綴じ線を持った複数幅の冊子を開いて搬送し、該冊子の左端を案内するガイドを備え、該ガイドと最小幅冊子の綴じ線位置に挟まれた領域に同軸上の２個のローラを、最大幅冊子の綴じ線位置と、最小幅冊子の右端位置に挟まれた領域に同軸上の２個のローラを配したことを特徴とする印字装置。
【請求項２】
幅の異なる複数の通帳等冊子類を搬送し印字する機能を備えた印字装置において、
一軸に複数個の第１のローラを配置しモータにて回転駆動する第１の搬送ローラ軸と、
前記複数個の第１のローラに対向した複数個の第２のローラを配置した第２の搬送ローラ軸と、
前記第２の搬送ローラ軸は略中央位置にて継手にて二分割され、該二分割された各々の第２の搬送ローラ軸は独立して前記第１の搬送ローラ軸に圧着される付勢手段を備え、
前記各々の第２の搬送ローラ軸には複数個のローラを配置し、
前記第１の搬送ローラ軸には第１のギヤを備え、
前記第２の搬送ローラ軸には第２のギヤを備え、
前記第１および第２のギヤによって、前記第１の搬送ローラ軸の回転駆動力を前記第２の搬送ローラ軸に伝達させるものであって、
搬送方向に対し平行な方向に綴じ線を持った複数幅の冊子を開いて搬送し、該冊子の右端を案内するガイドを備え、該ガイドと最小幅冊子の綴じ線位置に挟まれた領域に同軸上の２個のローラを、最大幅冊子の綴じ線位置と、最小幅冊子の左端位置に挟まれた領域に同軸上の２個のローラを配したことを特徴とする印字装置。
【発明の詳細な説明】
【０００１】
【発明の属する技術分野】
本発明は印字装置に係り、特に金融機関等において使用される通帳等の冊子媒体の処理を行う印字装置に属する。
【０００２】
【従来の技術】
従来、印字装置の搬送ローラの配置としては、特公平６−３０９２０号公報に見られるように、各ローラを独立懸架して実装している装置がある。
【０００３】
【発明が解決しようとする課題】
本従来の技術においては、複数の幅を持った通帳等の冊子類の搬送において左右の頁間の厚さを吸収しローラを冊子類に圧着させることに対しては有効であるが、十分な搬送力を得るために各ローラを同時に駆動するとなると、継手の数が増えるばかりでなく、各ローラの回転に時間差が発生してしまうため、安定した搬送が得られない問題があった。
本発明の目的は、複数の幅を持った通帳等冊子類を取り扱う印字装置において、正確で安定した冊子類の搬送を実現する搬送機構を提供することにある。
【０００４】
【課題を解決するための手段】
前記目的を達成するために本発明では、搬送ローラ軸と、搬送ローラに対向したローラを配置した圧着ローラ軸とを備え、圧着ローラ軸は略中央位置にて継手にて二分割され各々の圧着ローラ軸は独立して搬送ローラ軸に圧着される付勢手段を備え、かつ各々の圧着ローラ軸には複数個のローラを配置する。また、圧着ローラ軸は、案内ガイドと最小幅冊子の綴じ線位置に挟まれた領域に同軸上の２個のローラを、最大幅冊子の綴じ線位置と、最小幅冊子の右端位置に挟まれた領域に同軸上の２個のローラを配置する。
【０００５】
【発明の実施の形態】
以下、図１から図５を用いて本発明の実施例を説明する。
図１は、本発明を適用した印字装置の一実施例である。印字装置の一般的な構成と印字動作を図１及び図２を用いて簡単に説明する。
【０００６】
図２は、冊子媒体２を搬送しているときの状態を示す断面図である。冊子媒体２は、冊子媒体２の幅に合わせて可変に取付けることのできる幅ガイド３と、搬送時に冊子媒体２の左端を案内する基準ガイド４で形成される操入部１に挿入される。挿入された冊子媒体２は図示しないセンサ等を用いた既知の手段により検知され、その情報により搬送ローラ軸１２、及び、バネ８ａ〜８ｂにて搬送ローラ軸１２に圧着されている圧着ローラ軸５及び６を図示しないモータで回転させ冊子媒体２を吸入し、印字部９まで搬送して所望の印字を行う。
【０００７】
図２において冊子媒体２を搬送する時の作用を詳細に説明する。搬送ローラ軸１２はシャフトとローラ４個で構成されている。圧着ローラ軸５及び６は各々シャフトとローラ２個で構成されており、搬送ローラ軸に対向したローラ配置として上記したように搬送ローラ軸１２へ圧着されている。また搬送ローラ軸１２及びシャフト１０には各々ギヤ１３及び１１が具備されており、シャフト１０はバネ８ｅにより搬送ローラ軸１２の方向へ付勢されていてギヤ１３及び１１が常に係合するようになっている。
【０００８】
さらに、シャフト１０と圧着ローラ軸６、圧着ローラ軸６と５は継手７ｂ、７ａにより連結されており、搬送ローラ軸１２の回転と同期して圧着ローラ軸５及び６を駆動するように構成されている。以上の構成により図示するように、冊子媒体２の左右の頁間の厚さが異なっていても厚さの違いを吸収し左右各頁に対し圧着ローラ軸５及び６を均一に圧着することができ、且つ、搬送ローラ軸１２の回転と同期して駆動することができるため安定した搬送を行うことができる。
【０００９】
次に図３を用いてローラの配置について説明する。左右頁間で厚さのことなる冊子媒体を安定且つ確実に搬送するためには冊子媒体の綴じ部２ａにローラがかからないように配置する必要がある。さらに、複数の幅を持った冊子媒体を考慮すると以下に説明するローラ配置とすることが必要である。
【００１０】
最小幅の冊子媒体の幅を Ｗmin 、最大幅の冊子媒体の幅を Ｗmax とすると、１／２Ｗmin 〜 １／２Ｗmaxの範囲Ｂは冊子媒体の綴じ部の範囲となりローラを配置することはできない。従って、この範囲内に継手７ａを配置する。圧着ローラ軸５のローラ５ａ及び５ｂは、基準ガイド４〜１／２Ｗminの範囲Ａに配置する。圧着ローラ軸６のローラ６ａ及び６ｂは、１／２Ｗmax〜Ｗminの範囲Ｃに配置する。継手７ｂはＷminからガイド１４の範囲Ｄに配置される。また、ローラ５ａ及び５ｂ、６ａ及び６ｂは範囲Ａ及びＣ内で実装できうる最大の間隔をもって配置する。すなわち、ローラを頁の中央部に配置して搬送するより、頁の両端付近に配置することにより安定して搬送することができ、搬送精度が向上する。
【００１１】
最後に図４及び図５を用いて印字部について簡単に説明しておく。複数の幅の異なる冊子媒体に印字するには図４及び図５に示すような機構とする。
【００１２】
印字位置まで搬送された冊子媒体２は、バネ１５ａ・１５ｂにより印字ヘッド１６の方向に付勢されているプラテン２１によって印字ヘッドノーズ部１６ａの倣いローラ１７に押付けられ、印字ヘッドノーズ先端と冊子媒体２との紙面ギャップを一定に保つ。印字ヘッド１６はサポートレール１８と、印字ヘッド１６に取付けられた基準ローラ１９が倣うサポートレール１８と平行に配置された倣いガイド２０により一定の姿勢を保持し、矢印Ｄ方向に移動して印字を行う。したがって、左右頁間で厚さの異なる冊子類でも常に印字ヘッドノーズ部先端と冊子媒体との紙面ギャップを一定に保つことができ、綴じ部の位置が変っても問題なく印字することができる。
【００１３】
以上、本発明の一実施例について説明したが、上記は本発明の特徴である左右開きの冊子類について説明したものであり、ここでは説明しないが、本発明で上下開きの冊子類についても同様に処理することができる。
【００１４】
【発明の効果】
以上説明したように本発明によれば、複数の幅を持った通帳等冊子類を正確に、かつ、安定して搬送できる印字装置を提供できる。
【図面の簡単な説明】
【図１】印字装置の構成図
【図２】冊子類の搬送状態図
【図３】ローラ配置図
【図４】印字部正面図
【図５】印字部側面図
【符号の説明】
１：挿入部、２：冊子媒体、３：幅ガイド、４：基準ガイド、５：圧着ローラ軸、６：圧着ローラ軸、７ａ、７ｂ：継手、８ａ〜８ｅ：バネ、９：印字部、１０：シャフト、１１：ギヤ、１２：搬送ローラ軸、１３：ギヤ、１４：ガイド、１５ａ、１５ｂ：バネ、１６：印字ヘッド、１６ａ：印字ヘッドノーズ部、１７：倣いローラ、１８：サポートレール、１９：基準ローラ、２０：倣いガイド
【図１】
0003774629.tif 000002
【図２】
0003774629.tif 000003
【図３】
0003774629.tif 000004
【図４】
0003774629.tif 000005
【図５】
0003774629.tif 000006